(57)【要約】【課題】  形状可変衣服において、１着の衣服のシルエットを２通り以上に変化させられるようにしておしゃれを楽しむことができること。【解決手段】  形状可変衣服としての婦人用パンツ１の背面には、両脚部裾から膝裏部分まで生地を余らせて折り畳んだマチが形成され、これらのマチには裏面から共布の生地１０が縫付けられ、コンシールファスナーが裾から約５ｃｍ上がった部分から縫付けられ、両脚部裾から約５ｃｍ上までの部分はマチの合わせ目４が少し開いてスリット５となっている。コンシールファスナー６のスライダーを上端まで引き上げると、開放されたマチの合わせ目４が拡がって、膝から下が円錐形に拡がったパンタロン風のシルエットのパンツに変化させることができる。また、コンシールファスナー６のスライダーを半分程度まで引き上げて、婦人用パンツ１の裾部分のみを拡がらせればベルボトム風のシルエットのパンツに変化させることができる。【選択図】        図１
2005139591.tif 000002
【特許請求の範囲】
【請求項１】
袖口から肩関節方向に沿って、及び／または裾から腰方向に沿って、縫合せる部分の両側の生地を余らせて折り込んでマチを作り、該マチの裏側に共布で縦方向に沿って折り畳んだ生地を縫付けるとともに前記マチの合わせ目の両側にファスナーをファスナーテープが隠れるように縫込んで、前記ファスナーを開閉することによって前記マチの合わせ目を開閉自在としたことを特徴とする形状可変衣服。
【請求項２】
ズボンの両足背面に裾から膝近傍までマチを作り、該マチの裏側に共布で上下方向に沿って折り畳んだ生地を縫付けるとともに前記マチの合わせ目の両側にファスナーをファスナーテープが隠れるように縫込んで、前記ファスナーを開閉することによって前記マチの合わせ目を開閉自在としたことを特徴とする形状可変衣服。
【請求項３】
前記ファスナーの下端を裾からある程度上がった位置としたことを特徴とする請求項２に記載の形状可変衣服。
【請求項４】
前記ファスナーとしてコンシールファスナーを用いたことを特徴とする請求項１乃至請求項３のいずれか１つに記載の形状可変衣服。
【発明の詳細な説明】
【技術分野】
【０００１】
本発明は、ズボン（パンツ）・スカート・シャツ・上衣・ワンピース等の形状を変化させることによって、１着で複数のシルエットを楽しむことができる形状可変衣服に関するものである。
【背景技術】
【０００２】
市販のズボン（パンツ）・スカート・上衣・ワンピース等には、様々なシルエット（形状）・様々な素材のものがあり、特に女性や若い人達は色々なトップやボトムを日によって着替えておしゃれを楽しもうとする。しかし、気に入った衣服を全て購入していたら金額的にも膨大になってしまうし、購入した衣服の収納スペースも大きな場所を取る。
【０００３】
そこで、特許文献１においては、１本のズボンを２通りに佩き分けることによって費用と収納スペースの節約を図るという考えから、１着で表裏両面を着用可能としたジーンパンツを提案している。これによって、表と裏の２通りの生地のジーンパンツを１本で佩き分けることができ、衣料費の軽減と収納スペースの節約という効果が得られる。
【特許文献１】特開２０００−３４５４０８号公報
【発明の開示】
【発明が解決しようとする課題】
【０００４】
しかしながら、上記特許文献１に記載のジーンパンツにおいては、生地の相違を楽しめるだけで形状は殆ど変化せず、異なるシルエットのズボンとして佩き分けることはできないという問題点があった。
【０００５】
そこで、本発明は、１着の衣服のシルエットを２通り以上に変化させられるようにしておしゃれを楽しむことができる形状可変衣服を提供することを課題とするものである。
【課題を解決するための手段】
【０００６】
請求項１の発明にかかる形状可変衣服は、袖口から肩関節方向に沿って、及び／または裾から腰方向に沿って、縫合せる部分の両側の生地を余らせて折り込んでマチを作り、該マチの裏側に共布で縦方向に沿って折り畳んだ生地を縫付けるとともに前記マチの合わせ目の両側にファスナーをファスナーテープが隠れるように縫込んで、前記ファスナーを開閉することによって前記マチの合わせ目を開閉自在としたものである。
【０００７】
請求項２の発明にかかる形状可変衣服は、ズボンの両足背面に裾から膝近傍までマチを作り、該マチの裏側に共布で上下方向に沿って折り畳んだ生地を縫付けるとともに前記マチの合わせ目の両側にファスナーをファスナーテープが隠れるように縫込んで、前記ファスナーを開閉することによって前記マチの合わせ目を開閉自在としたものである。
【０００８】
請求項３の発明にかかる形状可変衣服は、請求項２の構成において、前記ファスナーの下端を裾からある程度上がった位置としたものである。
【０００９】
請求項４の発明にかかる形状可変衣服は、請求項１乃至請求項３のいずれか１つの構成において、前記ファスナーとしてコンシールファスナーを用いたものである。
【発明の効果】
【００１０】
請求項１の発明にかかる形状可変衣服は、上衣においては、例えば、袖口から肘付近まで、半袖の場合には例えば袖口から脇付近まで一または二以上のマチを作り、ズボンにおいては、例えば、裾から膝付近まで一または二以上のマチを作り、スカートにおいては例えば裾から股下付近まで一または二以上のマチを作り、接ぎのあるスカートにおいては接ぎの部分ごとにまたは接ぎのある部分のうち一部のみにマチを作り、これらのマチの裏側に共布で縦方向に沿って折り畳んだ生地を縫付けるとともに、マチの合わせ目の両側にファスナーをファスナーテープが隠れるように縫込んで、ファスナーを開閉することによってマチの合わせ目を開閉自在とする。
【００１１】
そして、ファスナーのスライダーを上げてマチの合わせ目を開くことによって、その向う側に縫付けられた共布で縦方向に沿って折り畳んだ生地が拡がって、上衣においては袖口の拡がったシルエットになり、ズボンにおいては裾の拡がったパンタロン風のシルエットになり、また接ぎのあるスカートにおいては襞の増えたフレアスカート風のシルエットに変形する。また、二以上のマチを形成した場合には、一部のマチのみを開いても良いし、ファスナーを全開にせずにファスナーのスライダーを途中で止めても良い。これによって、１着の衣服で２以上の異なるシルエットを楽しむことができ、しかも衣服を着たままでその場でシルエットを切り替えることができるので、１着の衣服で２着分以上の衣服のおしゃれを楽しむことができる。
【００１２】
このようにして、１着の衣服のシルエットを２通り以上に変化させられるようにしておしゃれを楽しむことができる形状可変衣服となる。
【００１３】
請求項２の発明にかかる形状可変衣服は、ズボンの両足背面に裾から膝近傍までマチを形成し、マチの裏側に共布で上下方向に沿って折り畳んだ生地を縫付けるとともにマチの合わせ目の両側にファスナーをファスナーテープが隠れるように縫込んで、ファスナーを開閉することによってマチの合わせ目を開閉自在としたものである。これによって、ファスナーを閉じているときにはストレートまたはスリムパンツのシルエットになり、ファスナーを開いてマチの合わせ目を全開にしたときには共布で上下方向に沿って折り畳んだ生地が拡がってパンタロン風のシルエットに変化し、またファスナーを半分程度開いてマチの合わせ目を半開にしたときにはベルボトム風のシルエットに変化する。
【００１４】
さらに、ズボンの両足背面に共布の折り畳んだ生地とファスナーを縫付けているので、これらの重量が加わってズボンの折り目がぴんと張って美しく見えるという効果がある。
【００１５】
このようにして、１着の衣服のシルエットを２通り以上に変化させられるようにしておしゃれを楽しむことができ、ズボンの折り目がぴんと張って美しく見える形状可変衣服となる。
【００１６】
請求項３の発明にかかる形状可変衣服は、ズボンの両足背面に膝近傍まで取付けたファスナーの下端を裾からある程度上がった位置としたものである。これによって、裾からファスナーの下端までの間であれば、裾直しをすることができ、着用者の股下長さに合わせることができる。そして、裾直しをしてもなおファスナーの下端から裾までの間が余った場合、或いは裾直しをしなかった場合でも、ファスナーの下端から裾までの間はマチの合わせ目が少し開いてスリットになり、ファッション性が却って向上する。
【００１７】
このようにして、裾直しをすることもでき、１着の衣服のシルエットを２通り以上に変化させられるようにしておしゃれを楽しむことができる形状可変衣服となる。
【００１８】
請求項４の発明にかかる形状可変衣服は、マチの合わせ目を開閉自在とするためのファスナーとしてコンシールファスナーを用いたものである。これによって、マチの合わせ目を閉じているときにはファスナーが外から見えず、非常に見栄えの良い形状可変衣服となる。
【００１９】
このようにして、ファスナーを閉じたときの見栄えも良く、１着の衣服のシルエットを２通り以上に変化させられるようにしておしゃれを楽しむことができる形状可変衣服となる。
【発明を実施するための最良の形態】
【００２０】
以下、本発明の実施の形態について、図１乃至図４を参照して説明する。以下に示す本発明の実施の形態は、本発明の形状可変衣服を婦人用パンツに適用した場合を例示するものである。
【００２１】
図１（ａ）は本発明の実施の形態にかかる形状可変衣服としての婦人用パンツを正面から見た全体図、（ｂ）は背面から見た全体図、（ｃ）は形状を変化させた状態の形状可変衣服としての婦人用パンツを背面から見た全体図である。図２は本発明の実施の形態にかかる形状可変衣服の展開仕様図である。図３は本発明の実施の形態にかかる形状可変衣服の一方の裾を開いた状態を示す拡大図である。図４（ａ）は本発明の実施の形態にかかる形状可変衣服の縫付けられる部品を展開して示す図、（ｂ）は縫付けたところを裏側から見た斜視図、（ｃ）は断面図である。
【００２２】
図１（ａ）に示されるように、本実施の形態にかかる形状可変衣服としての婦人用パンツ１の正面は、ベルト部２の右下にフラップ３が取付けられ、フラップ３の下はスラッシュポケットになっている。そして、パンツの脚部のシルエットはストレート形状になっている。一方、図１（ｂ）に示されるように、婦人用パンツ１の背面には、両脚部裾から膝裏部分まで生地を余らせてマチが形成され、これらのマチに上下方向に沿って折り畳んだ共布の生地が縫付けられるとともにコンシールファスナーが縫付けられ、これらのマチの合わせ目４は裏面からコンシールファスナーによって閉じられている。ここで、コンシールファスナーは裾から約５ｃｍ上がった部分から取付けられており、したがって、両脚部裾から約５ｃｍ上までの部分はマチの合わせ目４が少し開いてスリット５となっている。
【００２３】
かかる構造を有する本実施の形態の婦人用パンツ１において、図１（ｃ）に示されるように、コンシールファスナー６のスライダーを上端まで引き上げると、開放されたマチの合わせ目４が拡がって、縫付けられた上下方向に沿って折り畳んだ共布の生地１０が拡げられて、膝から下が円錐形に拡がったパンタロン風のシルエットのパンツに変化させることができる。また、コンシールファスナー６のスライダーを半分程度まで引き上げて、婦人用パンツ１の裾部分のみを拡がらせればベルボトム風のシルエットのパンツに変化させることができる。そして、コンシールファスナー６を元の通りに閉じることによって再びストレートシルエットの婦人用パンツ１となる。
【００２４】
このようにして、本実施の形態の婦人用パンツ１においては、１着の衣服のシルエットを２通り以上に変化させられるようにしておしゃれを楽しむことができる。また、マチの合わせ目４を開閉自在とするためのファスナーとしてコンシールファスナー６を用いているため、マチの合わせ目４を閉じているときにはファスナーが外から見えず、非常に見栄えが良い。さらに、婦人用パンツ１の両足背面に共布の折り畳んだ生地１０とコンシールファスナー６を縫付けているので、これらの重量が加わって婦人用パンツ１の折り目がぴんと張って美しく見えるという効果がある。
【００２５】
このようにして、１着の衣服のシルエットを２通り以上に変化させられるようにしておしゃれを楽しむことができ、ズボンの折り目がぴんと張って美しく見える
【００２６】
さらに婦人用パンツ１の詳細について、図２の展開仕様図を参照して説明する。図２に示されるように、前中心ＦＣのベルト部２ａにはカギホックの雄側７ａと雌側７ｂ、及びスナップの雄側８ａと雌側８ｂが取付けられており、これらのカギホックの雄側７ａを雌側７ｂに嵌合させ、スナップの雄側８ａを雌側８ｂに止めることによって前明を閉じることができ、前ファスナーを閉じて婦人用パンツ１を着用することができる。
【００２７】
また、前述の如く、婦人用パンツ１の両脚部背面には、裾から膝裏４ａまでマチが形成されており、裾から約５ｃｍ上がった位置からコンシールファスナー６によってマチの合わせ目４が閉じられるようになっている。これによって、裾からコンシールファスナー６の下端までの間であれば、裾直しをすることができ、着用者の股下長さに合わせることができる。そして、裾直しをしてもなおコンシールファスナー６の下端から裾までの間が余った場合、或いは裾直しをしなかった場合でも、コンシールファスナー６の下端から裾までの間はマチの合わせ目４が少し開いてスリット５になり、ファッション性が却って向上する。
【００２８】
さらに、図３にマチ９の具体的形状の一例を示す。図３に示されるように、裾から膝裏４ａまで生地を余らせて折り畳んでマチ９とし、このマチ９に共布の上下方向の折り目１０ａに沿って折り畳んだ生地１０が縫付けられるとともに、コンシールファスナー６をファスナーテープが隠れるように縫付けて、スライダーの取っ手５ａを引くことによって開閉自在としている。
【００２９】
さらに、図４に裏側から見たマチ９部分の詳細な縫付け方を説明する。図４（ａ）に縫付けられる部品を展開して示す。図４（ａ）に示されるように、両側に一部を示す婦人用パンツ１の両脚部背面の一点鎖線を谷折りとしてマチ９を形成する。その内側には、ファスナーテープ６ａの付いたコンシールファスナー６が示されている。そして、中心には破線を谷折りとし一点鎖線を山折りとして縫付けられる共布の生地１０が示されている。
【００３０】
これらの部材が、図４（ｂ）に示されるように、マチ９と共布の生地１０の間にファスナーテープ６ａを挟んで縫付けられる。そして、共布の生地１０を折り畳んだところを断面で見ると図４（ｃ）に示されるようになる。これでコンシールファスナー６を閉じれば、共布の生地１０は完全にマチの合わせ目４の後に隠れる。
【００３１】
本実施の形態においては、婦人用パンツ１の両脚部にマチの合わせ目４を背面に１本しか形成していないが、マチの合わせ目４は背面以外の箇所に形成することもできるし、２本以上形成しても良い。また、マチの合わせ目４の上端は膝裏部分４ａと限定されるものではなく、それより上でも下でも良い。
【００３２】
また、本実施の形態においては、形状可変衣服の具体例として婦人用パンツについて説明したが、ボトムスとしては他にも紳士用ズボン、子供用ズボン、オーバーオール、スカート等にも適用することができる。また、ボトムスに限定されるものではなく、上衣（シャツ・ブラウス・上着・コート等）にも、ワンピースにも同様に適用できるものである。
【００３３】
さらに、本実施の形態においては、前明部分を結合する結合具としてカギホック及びスナップを用いているが、結合具としては他にもドット釦、ボタンとボタンホール、接着布（マジックテープ：登録商標）等を用いることができる。
【００３４】
本発明を実施するに際しては、形状可変衣服のその他の部分の構成、形状、数量、材質、大きさ、接続関係等についても、本実施の形態に限定されるものではない。
【図面の簡単な説明】
【００３５】
【図１】図１（ａ）は本発明の実施の形態にかかる形状可変衣服としての婦人用パンツを正面から見た全体図、（ｂ）は背面から見た全体図、（ｃ）は形状を変化させた状態の形状可変衣服としての婦人用パンツを背面から見た全体図である。
【図２】図２は本発明の実施の形態にかかる形状可変衣服の展開仕様図である。
【図３】図３は本発明の実施の形態にかかる形状可変衣服の一方の裾を開いた状態を示す拡大図である。
【図４】図４（ａ）は本発明の実施の形態にかかる形状可変衣服の縫付けられる部品を展開して示す図、（ｂ）は縫付けたところを裏側から見た斜視図、（ｃ）は断面図である。
【符号の説明】
【００３６】
１  形状可変衣服
４  マチの合わせ目
６  ファスナー（コンシールファスナー）
６ａ  ファスナーテープ
９  マチ
１０  共布の生地
【図１】
2005139591.tif 000003
【図２】
2005139591.tif 000004
【図３】
2005139591.tif 000005
【図４】
2005139591.tif 000006